(57)【要約】【課題】本発明は、受信コイルの持ち運びを容易にし、機器の破損を防止することができる磁気共鳴イメージング装置を得ることを目的とするものである。【解決手段】イメージング装置本体１と受信コイル９とは、受信ケーブル１５を介して接続される。受信ケーブル１５の先端部には、プラグコネクタ１６が設けられている。受信コイル９には、プラグコネクタ１６を接続するためのレセプタクルコネクタ１７が設けられている。これにより、受信ケーブル１５は、受信コイル９から切り離し可能になっている。【選択図】図２
2008005954.tif 000002
【特許請求の範囲】
【請求項１】
被検体を載せるテーブル、上記被検体の周囲に磁場を発生させる磁場発生部、及び上記被検体に電磁波を照射する照射コイルを有するイメージング装置本体と、
上記被検体からの磁気共鳴信号を受信する受信コイルと、
上記イメージング装置本体と上記受信コイルとを接続する受信ケーブルと
を備えた磁気共鳴イメージング装置において、
上記受信コイルには、上記受信ケーブルを接続するためのコネクタが設けられており、上記受信ケーブルは、上記受信コイルから切り離し可能になっていることを特徴とする磁気共鳴イメージング装置。
【請求項２】
上記イメージング装置本体にも上記受信ケーブルを接続するためのコネクタが設けられており、上記受信ケーブルは、上記イメージング装置本体からも切り離し可能になっていることを特徴とする請求項１記載の磁気共鳴イメージング装置。
【発明の詳細な説明】
【技術分野】
【０００１】
この発明は、イメージング装置本体と受信コイルとが受信ケーブルを介して接続される磁気共鳴イメージング装置に関するものである。
【背景技術】
【０００２】
磁気共鳴イメージング装置（ＭＲＩ装置）は、核磁気共鳴現象を利用して被検体の所望の検査部位における原子核スピンの密度分布、緩和時間分布を計測し、その計測データから被検体の断面の画像を表示する。
【０００３】
均一で強力な磁場内に置かれた被検体の原子核スピンは、磁場の方向を軸として、磁場の強さによって定まる周波数（ラーモア周波数）で歳差運動を行う。そこで、このラーモア周波数に等しい周波数の高周波パルスを外部より照射すると、原子核スピンは、励起されて高いエネルギー状態に遷移する（核磁気共鳴現象）。また、高周波パルスの照射を打ち切ると、原子核スピンは、それぞれの状態に応じた時定数で元の低いエネルギー状態に戻る。このとき、原子核スピンから外部に電磁波（ＮＭＲ信号）が放出される。
【０００４】
磁気共鳴イメージング装置では、原子核スピンから放出された電磁波をその周波数に同調した受信コイルで検出する。このとき、Ｘ，Ｙ，Ｚの３軸の傾斜磁場を磁場空間に印加しておくことにより、空間内に位置情報を付加することができる。即ち、空間内の位置情報を周波数情報として得ることができる。
【０００５】
このような従来の磁気共鳴イメージング装置では、被検体を撮影する際、複数の種類の受信コイルの中から選択された受信コイルがイメージング装置本体に接続される。具体的には、受信コイルから引き出された受信ケーブルのプラグコネクタが、イメージング装置本体に設けられたレセプタクルコネクタに接続される（例えば、特許文献１参照）。
【０００６】
【特許文献１】特開２００４−２９８５３２号公報
【発明の開示】
【発明が解決しようとする課題】
【０００７】
上記のような従来の磁気共鳴イメージング装置においては、各受信コイルに受信ケーブルが予め接続されているため、保管場所とイメージング装置本体との間で受信コイルを移動させる際、受信ケーブル及びプラグコネクタの重量が操作者の負担になるとともに、受信ケーブルが邪魔になり、受信コイルの持ち運びに手間がかかる。また、プラグコネクタを床に落とし易く、プラグコネクタや周囲の機器を破損させることもあった。
【０００８】
この発明は、上記のような課題を解決するためになされたものであり、受信コイルの持ち運びを容易にし、機器の破損を防止することができる磁気共鳴イメージング装置を得ることを目的とする。
【課題を解決するための手段】
【０００９】
この発明に係る磁気共鳴イメージング装置は、被検体を載せるテーブル、被検体の周囲に磁場を発生させる磁場発生部、及び被検体に電磁波を照射する照射コイルを有するイメージング装置本体と、被検体からの磁気共鳴信号を受信する受信コイルと、イメージング装置本体と受信コイルとを接続する受信ケーブルとを備え、受信コイルには、受信ケーブルを接続するためのコネクタが設けられており、受信ケーブルは、受信コイルから切り離し可能になっている。
【発明の効果】
【００１０】
この発明の磁気共鳴イメージング装置は、受信ケーブルを接続するためのコネクタが受信コイルに設けられており、受信ケーブルが受信コイルから切り離し可能となっているため、受信コイルに受信ケーブルが接続されたままの状態で受信コイルを持ち運ぶ必要がなくなり、受信コイルの持ち運びを容易にし、機器の破損を防止することができる。
【発明を実施するための最良の形態】
【００１１】
以下、この発明を実施するための最良の形態について、図面を参照して説明する。
実施の形態１．
図１はこの発明の実施の形態１による磁気共鳴イメージング装置を一部ブロックで示す構成図である。図において、イメージング装置本体１は、被検体２を載せるテーブル３、被検体２の周囲に磁場を発生させる磁場発生部４、被検体２に電磁波を照射する照射コイル５、及びＭＲＩユニット６を有している。磁場発生部４、照射コイル５及びＭＲＩユニット６は、ガントリに設けられている。
【００１２】
磁場発生部４は、被検体２に強く均一な静磁場を与える磁石７ａ，７ｂと、被検体２に傾斜磁場（スライス傾斜磁場、リードアウト傾斜磁場及びエンコード傾斜磁場）を印加する傾斜磁場コイル８ａ，８ｂとを有している。磁石７ａ，７ｂとしては、永久磁石又は超電導磁石が用いられる。照射コイル５は、電磁波を所定のパルスシーケンスで繰り返し印加する。
【００１３】
被検体２には、被検体２からの磁気共鳴信号を受信する受信コイル９が装着されている。ＭＲＩユニット６は、傾斜磁場電源１０、高周波装置１１、制御装置１２及び演算装置１３を有している。傾斜磁場電源１０は、傾斜磁場コイル８ａ，８ｂに電力を供給する。高周波装置１１は、照射コイル５によりスピン励起のための高周波パルスを発生させるとともに、受信コイル９からの磁気共鳴信号を収集する。制御装置１２は、傾斜磁場電源１０及び高周波装置１１を制御する。
【００１４】
演算装置１３は、コンピュータにより構成され、高周波装置１１で収集した信号データに基づいて画像再構成演算等の演算処理を実行する。演算装置１３で得たＭＲＩ画像信号は、表示装置１４に入力され、これにより表示装置１４にＭＲＩ画像が表示される。
【００１５】
図２は図１のテーブル３を示す斜視図、図３は図２の受信コイル非使用時の状態を示す斜視図である。イメージング装置本体１と受信コイル９とは、受信ケーブル１５を介して接続される。受信ケーブル１５の基端部は、イメージング装置本体１内でＭＲＩユニット６に接続されている。また、受信ケーブル１５は、テーブル３の側部からイメージング装置本体１外へ引き出されている。さらに、受信ケーブル１５の先端部には、プラグコネクタ１６が設けられている。
【００１６】
受信コイル９には、プラグコネクタ１６を接続するためのレセプタクルコネクタ１７が設けられている。これにより、受信ケーブル１５は、受信コイル９から切り離し可能になっている。テーブル３の側部には、受信ケーブル１５の非使用時、即ち非撮影時に受信ケーブル１５を載せて保管するためのレール部（トレイ部）１８が設けられている。
【００１７】
このような磁気共鳴イメージング装置では、撮影の際、選択された受信コイル９がテーブル３上に移動され、レセプタクルコネクタ１７に受信ケーブル１５のプラグコネクタ１６が接続される。撮影終了後は、レセプタクルコネクタ１７からプラグコネクタ１６が取り外され、受信コイル９が保管場所に移動される。また、受信ケーブル１５は、図３に示すように、レール部１８上に載せられて保管される。なお、図３では、受信ケーブル１５が折り曲げられて保管されているが、図３に示すようにレール部１８の長さが十分であれば、受信ケーブル１５を折り曲げずに直線状に伸ばしたまま保管することも可能である。
【００１８】
このように、受信ケーブル１５を接続するためのレセプタクルコネクタ１７が受信コイル９に設けられており、受信ケーブル１５が受信コイル９から切り離し可能となっているため、受信コイル９に受信ケーブル１５が接続されたままの状態で受信コイル９を持ち運ぶ必要がなくなり、受信コイル９の持ち運びを容易にし、プラグコネクタ１６等の機器の破損を防止することができる。
【００１９】
実施の形態２．
次に、図４はこの発明の実施の形態２による磁気共鳴イメージング装置のテーブルを示す斜視図である。図において、テーブル３の側部には、受信ケーブル１５の非使用時に受信ケーブル１５を引っ掛けて保管するためのフック部１９が設けられている。他の構成は、実施の形態１と同様である。
【００２０】
このような磁気共鳴イメージング装置であっても、受信コイル９の持ち運びを容易にし、プラグコネクタ１６等の機器の破損を防止することができる。また、非使用時の受信ケーブル１５の保管スペースを縮小することができる。
【００２１】
なお、受信ケーブル１５を保管するためのレール部１８やフック部１９は、イメージング装置本体１の他の場所、例えばガントリ側に設けてもよい。
【００２２】
実施の形態３．
次に、図５はこの発明の実施の形態３による磁気共鳴イメージング装置のテーブルを示す斜視図である。図において、テーブル３の下部には、受信ケーブル１５の非使用時に受信ケーブル１５を巻き取るケーブル巻取部２０が設けられている。受信ケーブル１５は、モータ又はばね等の駆動力、又は手動によりケーブル巻取部２０に巻き取られ、ケーブル巻取部２０の収納ケース内に収納される。また、受信ケーブル１５は、使用時にケーブル巻取部２０から引き出される。他の構成は、実施の形態１と同様である。
【００２３】
このような磁気共鳴イメージング装置であっても、受信コイル９の持ち運びを容易にし、プラグコネクタ１６等の機器の破損を防止することができる。また、非使用時の受信ケーブル１５の保管スペースを縮小することができる。さらに、非使用時に受信ケーブル１５の全体がケーブル巻取部２０内に収容されるので、操作者等が受信ケーブル１５に引っ掛かるのを防止することができる。
【００２４】
実施の形態４．
次に、図６はこの発明の実施の形態４による磁気共鳴イメージング装置の要部を示す斜視図である。この例では、ケーブル巻取部２０がガントリ２１の側部に取り付けられている。他の構成は、実施の形態３と同様である。
【００２５】
このように、ケーブル巻取部２０をガントリ２１に設けてもよく、実施の形態３と同様の効果を得ることができる。
【００２６】
実施の形態５．
次に、図７はこの発明の実施の形態５による磁気共鳴イメージング装置のテーブルを示す斜視図である。図において、受信ケーブル１５の先端部にはプラグコネクタ（第１のケーブル側コネクタ）１６が設けられており、受信ケーブル１５の基端部にはプラグコネクタ（第２のケーブル側コネクタ）２２が設けられている。
【００２７】
受信コイル９には、プラグコネクタ１６が接続されるレセプタクルコネクタ（受信コイル側コネクタ）１７が設けられている。テーブル３の側部には、プラグコネクタ２２が接続されるレセプタクルコネクタ（本体側コネクタ）２３が設けられている。従って、受信ケーブル１５は、受信ケーブル１５からもイメージング装置本体１からも切り離し可能になっている。そして、受信ケーブル１５は、非使用時にはイメージング装置本体１から離れた保管場所に移動され保管される。他の構成は、実施の形態１と同様である。
【００２８】
このような磁気共鳴イメージング装置であっても、受信コイル９の持ち運びを容易にし、プラグコネクタ１６等の機器の破損を防止することができる。また、受信ケーブル１５が損傷したり劣化したりした場合に、受信ケーブル１５を容易に交換することができる。
【００２９】
実施の形態６．
次に、図８はこの発明の実施の形態６による磁気共鳴イメージング装置の要部を示す斜視図である。この例では、レセプタクルコネクタ２３がガントリ２１の側部に設けられている。他の構成は、実施の形態５と同様である。
【００３０】
このような磁気共鳴イメージング装置であっても、受信コイル９の持ち運びを容易にし、プラグコネクタ１６等の機器の破損を防止することができる。
【００３１】
なお、上記の例では、受信ケーブルを１本のみ示したが、複数本の受信ケーブルをイメージング装置本体から引き出してもよい。
【図面の簡単な説明】
【００３２】
【図１】この発明の実施の形態１による磁気共鳴イメージング装置を一部ブロックで示す構成図である。
【図２】図１のテーブルを示す斜視図である。
【図３】図２の受信コイル非使用時の状態を示す斜視図である。
【図４】この発明の実施の形態２による磁気共鳴イメージング装置のテーブルを示す斜視図である。
【図５】この発明の実施の形態３による磁気共鳴イメージング装置のテーブルを示す斜視図である。
【図６】この発明の実施の形態４による磁気共鳴イメージング装置の要部を示す斜視図である。
【図７】この発明の実施の形態５による磁気共鳴イメージング装置のテーブルを示す斜視図である。
【図８】この発明の実施の形態６による磁気共鳴イメージング装置の要部を示す斜視図である。
【符号の説明】
【００３３】
１  イメージング装置本体、２  被検体、３  テーブル、４  磁場発生部、５  照射コイル、９  受信コイル、１５  受信ケーブル、１７  レセプタクルコネクタ。
【図１】
2008005954.tif 000003
【図２】
2008005954.tif 000004
【図３】
2008005954.tif 000005
【図４】
2008005954.tif 000006
【図５】
2008005954.tif 000007
【図６】
2008005954.tif 000008
【図７】
2008005954.tif 000009
【図８】
2008005954.tif 000010